【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
釣り竿用のグリップであって、
ロッドの一端と係合するように構成された可撓性取付チューブと、
外側のポリマー層と内側の層とを含むシートと、
を含み、
該シートが、前記可撓性取付チューブの外形に対応する形態を有し、前記取付チューブの周りに巻き付けられて接着され、
前記シートの側縁部は互いに当接して前記シートの内側表面から前記ポリマー層の外側表面へ延びる長手方向の縫目を形成するグリップ。
【請求項２】
前記シートが、実質的に砂時計の形状を有する請求項１に記載のグリップ。
【請求項３】
前記シートが、第一の幅を各々有する二つの端部及び第二の幅とを有する内側部分とを備え、前記第一の幅の前記第二の幅に対する比が、約１．１：１と約１．４：１との間である請求項１に記載のグリップ。
【請求項４】
前記第一の幅の前記第二の幅に対する前記比が、約１．２：１と約１．３：１との間である請求項１に記載のグリップ。
【請求項５】
前記シートが、
該シートの長さを規定する第一の端部及び第二の端部とを備え、
前記第一の端部及び前記第二の端部との間の前記シートの内側部分と、
を含み、
該内側部分は、最小の幅の領域を有し、該最小の幅の領域が全長を第一の区分長さと第二の区分長さとに細分し、前記第一の区分長さの前記第二の区分長さに対する比が、約１：１と約１．５：１との間である請求項１に記載のグリップ。
【請求項６】
前記第一の区分長さの前記第二の区分長さに対する前記比が、約１：１と約１．３：１との間である請求項５に記載のグリップ。
【請求項７】
前記取付チューブが、実質的に砂時計の形状を有する断面を備える請求項１に記載のグリップ。
【請求項８】
前記取付チューブが、
キャップとリングによって境界を定められた内側長さを含み、
該内側長さが、第一の幅を各々備える第一の端部及び第二の端部とを有し、前記内側長さが第二の幅を有する内側部分を備え、前記第一の幅の前記第二の幅に対する比が、約１．１：１と約１．４：１との間である請求項１に記載のグリップ。
【請求項９】
前記第一の幅の前記第二の幅に対する前記比が、約１．１：１と約１．２：１との間である請求項８に記載のグリップ。
【請求項１０】
前記取付チューブが、該取付チューブの基端部に一体化されたキャップと前記取付チューブの先端部に一体化されたリングとを備え、前記一体化されたキャップが第一の幅を有し、前記一体化されたリングが第二の幅を有し、前記第一の幅が実質的に前記第二の幅に等しい請求項１に記載のグリップ。
【請求項１１】
前記取付チューブが、該取付チューブの基端部に一体化されたキャップと前記取付チューブの先端部に一体化されたリングとを備え、前記一体化されたキャップが第一の長さを有し、前記一体化されたリングが第二の長さを有し、前記第一の長さが実質的に前記第二の長さに等しい請求項１に記載のグリップ。
【請求項１２】
前記取付チューブが、
該取付チューブの長さを規定する第一の端部及び第二の端部と、
前記第一の端部及び前記第二の端部との間の前記取付チューブの内側部分と、
を含み、
該内側部分は最小の幅の領域を有し、該最小の幅の領域が全長を第一の区分長さと第二の区分長さに細分し、前記第一の区分長さの前記第二の区分長さに対する比が、約１：１と約１．５：１との間である請求項１に記載のグリップ。
【請求項１３】
前記第一の区分長さの前記第二の区分長さに対する前記比が、約１．１：１と約１．３：１との間である請求項１２に記載のグリップ。
【請求項１４】
前記取付チューブが、
キャップとリングによって境界を定められた内側長さを含み、
該内側長さが、第一の厚さを各々有する第一の端部及び第二の端部とを有し、
前記内側長さが内側部分を備え、該内側部分が第二の厚さを備え、前記第一の厚さが前記第二の厚さよりも大きい請求項１に記載のグリップ。
【請求項１５】
前記取付チューブが、
キャップとリングによって境界を定められ、第一の端部及び第二の端部とを有する内側長さを含み、
該内側長さが内側部分を含み、
該内側部分は前記第一端部及び前記第二の端部よりも可撓性を有する請求項１に記載のグリップ。
【請求項１６】
前記取付チューブが、
該取付チューブの基端部において一体化され、第一の周縁リップを有するキャップと、
前記取付チューブの先端部において一体化され、第二の周縁リップを有するリングと、
を含み、
前記第一の周縁リップの厚さの前記第二の周縁リップの厚さに対する比が、約１．３：１と約１．７：１との間である請求項１に記載のグリップ。
【請求項１７】
前記第一の周縁リップの厚さの前記第二の周縁リップの厚さに対する前記比が、約１．４：１と約１．５：１との間である請求項１６に記載のグリップ。
【請求項１８】
縫目を強化するために該縫目が縫い合わされている請求項１に記載のグリップ。
【請求項１９】
前記内側の層の高さの前記外側のポリマー層の高さに対する比が、約５：１と約８：１との間である請求項１に記載のグリップ。
【請求項２０】
前記取付チューブがさらに、内部幅と縁部幅を有するリングを備え、前記内部幅の前記縁部幅に対する前記比が約１．４：１と約１．８：１との間である請求項１に記載のグリップ。
【請求項２１】
前記内側の層はエチレン酢酸ビニルを備えている請求項１に記載のグリップ。
【請求項２２】
前記内側の層は繊維状物質を備えている請求項１に記載のグリップ。
【請求項２３】
請求項１〜２１のいずれか１項に記載のグリップを備えている釣り竿。
【請求項２４】
釣り竿用のグリップを作る方法であって、
釣り竿の一端と係合するように構成された可撓性取付チューブを提供するステップと、
外側のポリマー層と内側の層とを含むシートを提供するステップと、該シートが前記可撓性取付チューブの外形に対応する形態を有し、
前記シートを前記取付チューブの周りに巻き付け接着するステップと、
前記シートの側縁部を互いに当接させて前記シートの内側表面から前記ポリマー層の外側表面へ延びる長手方向の縫目を形成するステップと、
を含む釣り竿用のグリップを作る方法。
【請求項２５】
前記シートが、実質的に砂時計の形状を有する請求項２４に記載の方法。
【請求項２６】
前記シートが、第一の幅を各々有する二つの端部及び第二の幅を有する内側部分とを備え、前記第一の幅の前記第二の幅に対する比が、約１．１：１と約１．４：１との間である請求項２４に記載の方法。
【請求項２７】
前記第一の幅の前記第二の幅に対する前記比が、約１．２：１と約１．３：１との間である請求項２６に記載の方法。
【請求項２８】
前記シートが、
該シートの長さを規定する第一の端部及び第二の端部と、
前記第一の端部及び前記第二の端部との間の前記シートの内側部分と、
を含み、該内側部分は最小の幅の領域を有し、該最小の幅の領域が全長を第一の区分長さと第二の区分長さに細分し、前記第一の区分長さの前記第二の区分長さに対する比が、約１：１と約１．５：１との間である請求項２６に記載の方法。
【請求項２９】
前記第一の区分長さの前記第二の区分長さに対する前記比が、約１：１と約１．３：１との間である請求項２８に記載の方法。
【請求項３０】
前記取付チューブが、実質的に砂時計の形状を有する断面を備える請求項２４に記載の方法。
【請求項３１】
前記取付チューブが、
キャップとリングによって境界を定められた内側長さを含み、
該内側長さが、第一の幅を各々備える第一の端部及び第二の端部とを有し、
前記内側長さが第二の幅を有する内側部分を含み、前記第一の幅の前記第二の幅に対する比が、約１．１：１と約１．４：１との間である請求項２４に記載の方法。
【請求項３２】
前記第一の幅の前記第二の幅に対する前記比が、約１．１：１と約１．２：１との間である請求項３１に記載の方法。
【請求項３３】
前記取付チューブが、該取付チューブの基端部において一体化されたキャップと前記取付チューブの先端部において一体化されたリングとを備え、前記一体化されたキャップが第一の幅を有し、前記一体化されたリングが第二の幅を有し、前記第一の幅が実質的に前記第二の幅に等しい請求項２４に記載の方法。
【請求項３４】
前記取付チューブが、該取付チューブの基端部に一体化されたキャップと前記取付チューブの先端部に一体化されたリングとを備え、前記一体化されたキャップが第一の長さを有し、前記一体化されたリングが第二の長さを有し、前記第一の長さが実質的に前記第二の長さに等しい請求項２４に記載の方法。
【請求項３５】
前記取付チューブが、
該取付チューブの長さを規定する第一の端部及び第二の端部と、
前記第一の端部及び前記第二の端部との間の前記取付チューブの内側部分と、
を含み、
該内側部分は最小の幅の領域を有し、該最小の幅の領域が全長を第一の区分長さと第二の区分長さとに細分し、前記第一の区分長さの前記第二の区分長さに対する比が、約１：１と約１．５：１との間である請求項２４に記載の方法。
【請求項３６】
前記第一の区分長さの前記第二の区分長さに対する前記比が、約１．１：１と約１．３：１との間である請求項３５に記載の方法。
【請求項３７】
前記取付チューブが、
キャップとリングによって境界を定められた内側長さを含み、
該内側長さが、第一の厚さを各々有する第一の端部及び第二の端部とを有し、
前記内側長さが内側部分を備え、該内側部分が第二の厚さを備え、前記第一の厚さが前記第二の厚さよりも大きい請求項２４に記載の方法。
【請求項３８】
前記取付チューブが、
キャップとリングによって境界を定められ、第一の端部及び第二の端部とを有する内側長さを含み、
該内側長さが内側部分を含み、
該内側部分は、前記第一の端部及び前記第二の端部よりも可撓性を有する請求項２４に記載の方法。
【請求項３９】
前記取付チューブが、
該取付チューブの基端部において一体化され、第一の周縁リップを有するキャップと、
前記取付チューブの先端部において一体化され、第二の周縁リップを有するリングと、
を含み、
前記第一の周縁リップの厚さの前記第二の周縁リップの厚さに対する比が、約１．３：１と約１．７：１との間である請求項２４に記載の方法。
【請求項４０】
前記第一の周縁リップの厚さの前記第二の周縁リップの厚さに対する前記比が、約１．４：１と約１．５：１との間である請求項３９に記載の方法。
【請求項４１】
さらに縫目を強化するために該縫目が縫い合わされているステップを備える請求項２４に記載の方法。
【請求項４２】
前記内側の層の高さの前記外側のポリマー層の高さに対する比が、約５：１と約８：１との間である請求項２４に記載の方法。
【請求項４３】
前記内側の層はエチレン酢酸ビニルを備えている請求項２４に記載の方法。
【請求項４４】
前記内側の層は繊維状物質を備えている請求項２４に記載の方法。